(57)【要約】【課題】大型のタッチパネルの誤動作を防止する。特に、検出領域とコントローラの間の配線遅延を低減することで大型のタッチパネルの誤動作を防止する。【解決手段】タッチパネルを複数の検出領域と複数のセンサが設けられた検出領域分割型のタッチパネルとし、分割されたそれぞれの検出領域には対応するコントローラがそれぞれ設けられ、前記コントローラのすべてが一の中央制御装置に電気的に接続する。分割されたそれぞれの前記検出領域と、対応する前記コントローラの間の配線の長さは、それぞれの前記コントローラと前記中央制御装置の配線の長さよりも短いとよい。【選択図】図１
2013229010.tif 000002
【特許請求の範囲】
【請求項１】
複数のセンサが設けられた検出領域分割型のタッチパネルであって、
分割されたそれぞれの検出領域には対応するコントローラがそれぞれ設けられ、
前記コントローラのすべてが一の中央制御装置に電気的に接続されているタッチパネル。
【請求項２】
分割されたそれぞれの前記検出領域と、対応する前記コントローラの間の配線の長さは、それぞれの前記コントローラと前記中央制御装置の配線の長さよりも短いことを特徴とする請求項１に記載のタッチパネル。
【請求項３】
前記複数のセンサにそれぞれ容量素子が設けられた容量式タッチパネルである請求項１または請求項２に記載のタッチパネル。
【請求項４】
少なくともスイッチング素子と画素電極が設けられた素子基板と、
前記素子基板に対向して設けられた対向基板または封止基板と、を有する表示部と、
センサ部と、を有し、
前記センサ部は前記表示部よりも操作面側に設けられていることを特徴とする請求項３に記載のタッチパネル。
【請求項５】
前記表示部にはブラックマトリクスが設けられていることを特徴とする請求項４に記載のタッチパネル。
【請求項６】
少なくともスイッチング素子と画素電極が設けられた素子基板と、
前記素子基板に対向して設けられた対向基板または封止基板と、を有し、
前記素子基板と前記対向基板または封止基板の間にはセンサ部が設けられていることを特徴とする請求項３に記載のタッチパネル。
【請求項７】
前記センサ部は、前記対向基板または封止基板上であってブラックマトリクスよりも操作面側に設けられていることを特徴とする請求項６に記載のタッチパネル。
【請求項８】
前記コントローラの数が４であることを特徴とする請求項１乃至請求項７のいずれか一に記載のタッチパネル。
【請求項９】
請求項１乃至請求項８のいずれか一に記載のタッチパネルに搭載されるタッチパネルモジュール。
【請求項１０】
タッチパネルを起動し、
前記コントローラのすべてから応答があるまで前記コントローラのそれぞれに起動コマンドである第１のコマンドを送信し続け、
前記コントローラのすべてからの応答がある場合に前記コントローラのすべてに対して初期設定を行い、
前記タッチパネルに対するタッチ動作の検出を開始し、
前記コントローラのそれぞれにタッチ動作の検出を開始する第２のコマンドを送信し、
前記タッチ動作の検出の有無を判定し、
前記タッチ動作が検出された場合には、タッチ位置における当該コントローラの識別データと分割された前記検出領域における座標データを取得し、
前記識別データと前記座標データにより検出した前記タッチ位置の前記タッチパネルの全面における位置を算出して前記タッチ位置を決定し、
前記識別データ及び前記座標データを取得した場合、または前記タッチ動作が検出されなかった場合には、前記第２のコマンドを再度送信する請求項１乃至請求項８のいずれか一に記載のタッチパネルの駆動方法。
【発明の詳細な説明】
【技術分野】
【０００１】
タッチパネルとその駆動方法に関する。
【背景技術】
【０００２】
近年、表示装置の大型化が進んでいる。また、表示装置と入力装置が一体となったタッチパネル（タッチセンサとも呼ばれる。）が広く普及している。また、タッチパネルの検出領域を４つの領域に分割する技術が知られている（例えば、特許文献１）。
【先行技術文献】
【特許文献】
【０００３】
【特許文献１】特開２０１１−１４５７５２号公報
【発明の概要】
【発明が解決しようとする課題】
【０００４】
表示装置と同様に、タッチパネルも大型化したいという要求がある。しかし、単に情報を表示するのみの表示装置とは異なり、入力処理も行うため、入力データの遅延が大きな問題となる。入力データの遅延は、タッチパネル自体の誤動作を誘引する。
【０００５】
本発明の一態様は、大型のタッチパネルの誤動作を防止することを課題とする。特に、検出領域とコントローラの間の配線遅延を低減することで、大型のタッチパネルの誤動作を防止することを主要な課題とする。
【課題を解決するための手段】
【０００６】
本発明の一態様は、複数の検出領域と複数のセンサが設けられた検出領域分割型のタッチパネルであって、分割されたそれぞれの検出領域には対応するコントローラがそれぞれ設けられ、前記コントローラのすべてが一の中央制御装置に電気的に接続されているタッチパネルである。
【発明の効果】
【０００７】
前記構成を採用することで、検出領域とコントローラの間の配線遅延を低減することができる。従って、大型のタッチパネルの誤動作を防止することができる。
【図面の簡単な説明】
【０００８】
【図１】本発明の一態様であるタッチパネルの構成の一例を説明する図。
【図２】図１の検出領域１０２の一構成例を説明する回路図。
【図３】図１の検出領域１０２の一構成例を説明する断面図。
【図４】図１のコントローラ１０６の一構成例を説明する回路図。
【図５】本発明の一態様であるタッチパネルの動作の一例を説明する図。
【図６】本発明の一態様であるタッチパネルの動作の一例を説明する図。
【図７】本発明の一態様であるタッチパネルの表示部の一例を説明する図。
【発明を実施するための形態】
【０００９】
以下では、本発明の実施の形態について図面を用いて詳細に説明する。ただし、本発明は以下の説明に限定されず、本発明の趣旨及びその範囲から逸脱することなくその形態及び詳細を様々に変更し得ることは、当業者であれば容易に理解される。したがって、本発明は、以下に示す実施の形態の記載内容に限定して解釈されるものではない。
【００１０】
本実施の形態では、本発明の一態様であるタッチパネルとその動作について説明する。なお、本実施の形態においては、最も好ましい形態の一として検出領域を４つの領域に分割（４分割）した態様を例示して説明するが、これに限定されない。例えば、２分割または８分割などであってもよい。
【００１１】
図１は、本発明の一態様であるタッチパネルを示す概略図である。図１に示すタッチパネル１００では、タッチ検出面（操作面）が４分割されており、タッチ検出面（操作面）は、第１の検出領域１０２Ａ、第２の検出領域１０２Ｂ、第３の検出領域１０２Ｃ及び第４の検出領域１０２Ｄにより構成されている。
【００１２】
第１の検出領域１０２Ａは、第１のコントローラ接続部１０４Ａを介して第１のコントローラ１０６Ａに電気的に接続されている。第２の検出領域１０２Ｂは、第２のコントローラ接続部１０４Ｂを介して第２のコントローラ１０６Ｂに電気的に接続されている。第３の検出領域１０２Ｃは、第３のコントローラ接続部１０４Ｃを介して第３のコントローラ１０６Ｃに電気的に接続されている。第４の検出領域１０２Ｄは、第４のコントローラ接続部１０４Ｄを介して第４のコントローラ１０６Ｄに電気的に接続されている。
【００１３】
第１のコントローラ１０６Ａは、第１の中央制御装置接続部１０８Ａを介して中央制御装置１１０に電気的に接続されている。第２のコントローラ１０６Ｂは、第２の中央制御装置接続部１０８Ｂを介して中央制御装置１１０に電気的に接続されている。第３のコントローラ１０６Ｃは、第３の中央制御装置接続部１０８Ｃを介して中央制御装置１１０に電気的に接続されている。第４のコントローラ１０６Ｄは、第４の中央制御装置接続部１０８Ｄを介して中央制御装置１１０に電気的に接続されている。
【００１４】
なお、本明細書において、第１の検出領域１０２Ａと、第２の検出領域１０２Ｂと、第３の検出領域１０２Ｃと、第４の検出領域１０２Ｄと、を特に区別する必要がないときには、検出領域１０２と呼ぶものとする。
【００１５】
同様に、第１のコントローラ接続部１０４Ａと、第２のコントローラ接続部１０４Ｂと、第３のコントローラ接続部１０４Ｃと、第４のコントローラ接続部１０４Ｄと、を特に区別する必要がないときには、コントローラ接続部１０４と呼ぶものとする。
【００１６】
同様に、第１のコントローラ１０６Ａと、第２のコントローラ１０６Ｂと、第３のコントローラ１０６Ｃと、第４のコントローラ１０６Ｄと、を特に区別する必要がないときには、コントローラ１０６と呼ぶものとする。
【００１７】
同様に、第１の中央制御装置接続部１０８Ａと、第２の中央制御装置接続部１０８Ｂと、第３の中央制御装置接続部１０８Ｃと、第４の中央制御装置接続部１０８Ｄと、を特に区別する必要がないときには、中央制御装置接続部１０８と呼ぶものとする。
【００１８】
図２は、図１に示すタッチパネル１００の検出領域１０２の一部を示す図である。図２に示すように、検出領域１０２においては、信号線１１４と共通電位線１１６が交差して配設されており、該交差部には検出画素１１２が設けられている。複数の検出画素１１２は、ｎ行ｍ列（ｎ、ｍはいずれも正の整数）のマトリクス状に設けられている。検出画素１１２は容量素子を有する。そのため、図２に示す構成においては、タッチパネル１００は容量式タッチパネルである。
【００１９】
ここで、一例として検出画素１１２（ｉ，ｊ）（ｉは１以上ｎ以下の整数で、ｊは１以上ｍ以下の整数）がタッチ検出位置である場合について説明する。共通電位線１１６はすべて一定の電位に保持されているため、任意の位置における検出画素１１２（ｉ，ｊ）が押下されると、検出画素１１２（ｉ，ｊ）が有する容量素子の容量値が変化し、信号線１１４（ｉ）に信号が伝搬し、タッチされたことを検出する。該信号はコントローラ１０６に送信される。
【００２０】
以上のように、タッチ位置を検出することができる。
【００２１】
図３（Ａ）及び（Ｂ）は、検出領域１０２の断面図である。
【００２２】
図３（Ａ）では、検出領域１０２は、筐体１２０中に表示部１２２及びセンサ部１２８を有する。表示部１２２は、少なくともスイッチング素子と画素電極が設けられた素子基板１２４と、素子基板１２４に対向して設けられた対向基板または封止基板１２６と、を有する。センサ部１２８は表示部１２２よりも操作面１３０側に設けられている。
【００２３】
表示部１２２には、隣接する画素間における混色を防止するためにブラックマトリクスが設けられているとよい。このように表示部１２２にブラックマトリクスが設けられている場合には、ブラックマトリクスによるセンサ部１２８の誤動作などを防止するために、前記したように、センサ部１２８が表示部１２２よりも操作面１３０側に設けられていることが好ましい。
【００２４】
図３（Ｂ）では、検出領域１０２は、筐体１２０中に素子基板１２４と、対向基板または封止基板１２６と、センサ部１２８と、を有する。素子基板１２４には、少なくともスイッチング素子と画素電極が設けられていればよい。センサ部１２８は、素子基板１２４と対向基板または封止基板１２６の間に設けられている。
【００２５】
図３（Ｂ）に示す構成において、対向基板または封止基板１２６上（例えば素子基板１２４側）にブラックマトリクスが設けられている場合には、センサ部１２８は、対向基板または封止基板１２６上であってブラックマトリクスよりも操作面１３０側に設けられていればよい。すなわち、対向基板または封止基板１２６上にセンサ部１２８を設ける構成とし、作製工程において、対向基板または封止基板１２６上にセンサ部１２８を形成した後にブラックマトリクスを形成すればよい。
【００２６】
図４は、図１に示すタッチパネル１００のコントローラ１０６の一構成例を示す図である。図４に示すように、コントローラ１０６は、検出回路１３２と、増幅回路１３４と、ノイズフィルタ１３６と、Ａ／Ｄコンバータ１３８と、演算回路１４０と、信号生成回路１４２と、を有する。検出回路１３２は、コントローラ接続部１０４から信号が入力される構成を有し、演算回路１４０は、中央制御装置接続部１０８に信号を出力する構成を有し、信号生成回路１４２は、コントローラ接続部１０４に信号を出力する構成を有する。
【００２７】
検出回路１３２は、タッチ検出により生じた信号を検出し、増幅回路１３４に信号を供給する機能を有する回路である。
【００２８】
増幅回路１３４は、検出回路１３２からの信号を増幅する機能を有する回路である。
【００２９】
ノイズフィルタ１３６は、増幅回路１３４からの信号に含まれるノイズ成分を除去する機能を有する回路である。
【００３０】
Ａ／Ｄコンバータ１３８は、アナログ信号であるノイズフィルタ１３６からの信号をデジタル信号に変換する機能を有する回路である。
【００３１】
演算回路１４０は、コントローラ１０６の識別データと座標データの取得、当該識別データの判定などをはじめとしたタッチ動作の検出に必要な演算処理を行う機能を有する回路である。なお、演算回路１４０の機能は演算に限定されない。例えば、後に説明する検出したタッチ位置のパネル全面における位置を算出する以外の動作については、演算回路１４０により制御を行ってもよい。また、演算回路１４０において演算を行った時刻を記録すると、その後に信号の遅延が生じてもタイミングのずれなどの問題が生じないため好ましい。
【００３２】
信号生成回路１４２は、演算回路１４０からのコマンド及び中央制御装置１１０からのコマンドに応じて適切な信号を生成してコントローラ接続部１０４に供給する機能を有する回路である。
【００３３】
なお、本明細書において、「分割されたそれぞれの検出領域と、対応するコントローラの間の配線の長さ」は、当該検出領域と演算回路１４０の間の配線の長さを指すものである。
当該検出領域と演算回路１４０の間の配線の長さは、それぞれのコントローラと中央制御装置の配線の長さよりも短くするとよい。当該検出領域と演算回路１４０の間の配線が長いと、信号強度の減衰を生じるおそれがあり、また、信号自体がノイズに埋もれてしまうおそれもあるからである。
【００３４】
次に、図１に示すタッチパネル１００の動作について図５及び図６を参照して説明する。図５は、システム起動動作を説明するフローチャートであり、図６は、タッチ検出動作を説明するフローチャートである。
【００３５】
まず、タッチパネルを起動する（開始２００）。その後、以下のループ動作を行いすべてのコントローラを起動する（ループ動作の開始２０２）。コントローラの起動は、中央制御装置１１０から各コントローラに起動コマンドを送信することにより行えばよい（第１のコマンドの送信２０４）。第１のコマンドの送信を行うことにより、すべてのコントローラから応答があった場合（ループ終了条件２０６）には、すべてのコントローラに対して初期設定を行う（初期設定２０８）。応答しないコントローラが存在する場合には、すべてのコントローラから応答があるまでループ動作を行い、中央制御装置１１０から各コントローラに第１のコマンドが送信される。初期設定を行った後にシステム起動動作は終了し、タッチ動作を検出する処理へ移行する（処理の移行２１０）。
【００３６】
まず、タッチ動作の検出を開始し（開始２５０）、中央制御装置１１０から各コントローラにタッチ動作の検出を開始するコマンド（第２のコマンド）を送信する（第２のコマンドの送信２５２）。次に、タッチ動作の検出の有無を判定し（第１の判定２５４）、タッチ動作が検出された場合にはコントローラの識別データと座標データを取得する（データの取得２５６）。タッチ動作が検出されなかった場合にはタッチ動作の検出を開始するコマンド（第２のコマンド）を各コントローラに再度送信する。タッチ動作が検出されてコントローラの識別データと座標データが取得された場合には、まず、当該コントローラの識別データを判定（コントローラの識別データ判定２５８）し、当該識別データに対応した式を用いて、検出したタッチ位置のパネル全面における位置を算出する。具体的には、コントローラの識別データが１である場合には、数式（１）及び数式（２）でパネル全面における位置を算出する（第１の算出２６０）。コントローラの識別データが２である場合には、数式（３）及び数式（２）でパネル全面における位置を算出する（第２の算出２６２）。コントローラの識別データが３である場合には、数式（１）及び数式（４）でパネル全面における位置を算出する（第３の算出２６４）。コントローラの識別データが４である場合には、数式（３）及び数式（４）でパネル全面における位置を算出する（第４の算出２６６）。以上説明したようにパネル全面におけるタッチ位置が決定できる。パネル全面におけるタッチ位置の決定後には、その後の処理に移行する（処理の移行２６８）。
【００３７】
以上説明したように、図１に示すタッチパネル１００を動作させることができる。
【００３８】
ここで、前記識別データに対応した式を用いて、検出したタッチ位置のパネル全面における位置を算出する際の算出式について説明する。以下の説明において、検出領域１０２内の検出位置のｘ座標はｘ０とし、検出領域１０２内の検出位置のｙ座標はｙ０とし、検出領域１０２内のｘ軸方向の座標の最大値はｓｘｍａｘとし、検出領域１０２内のｙ軸方向の座標の最大値はｓｙｍａｘとし、タッチパネル全面のｘ軸方向の座標の最大値はｗとし、タッチパネル全面のｙ軸方向の座標の最大値はｈとし、ｘ軸方向の分割数（検出領域の個数）はｘｎとし、ｙ軸方向の分割数（検出領域の個数）はｙｎとする。
【００３９】
コントローラの識別データが１である場合（検出領域１０２が第１の検出領域１０２Ａである場合）には、パネル全面における位置（Ｘ、Ｙ）は、以下の式により算出される（第１の算出２６０）。
【００４０】
【数１】
2013229010.tif 000003
【００４１】
【数２】
2013229010.tif 000004
【００４２】
コントローラの識別データが２である場合（検出領域１０２が第２の検出領域１０２Ｂである場合）には、パネル全面における位置（Ｘ、Ｙ）の算出（第２の算出２６２）において、ｘ座標は、以下の式により算出される。なお、ｙ座標は、第１の算出２６０における数式（２）と同様に算出できるため省略する。
【００４３】
【数３】
2013229010.tif 000005
【００４４】
コントローラの識別データが３である場合（検出領域１０２が第３の検出領域１０２Ｃである場合）には、パネル全面における位置（Ｘ、Ｙ）の算出（第３の算出２６４）において、ｙ座標は、以下の式により算出される。なお、ｘ座標は、第１の算出２６０における数式（１）と同様に算出できるため省略する。
【００４５】
【数４】
2013229010.tif 000006
【００４６】
コントローラの識別データが４である場合（検出領域１０２が第４の検出領域１０２Ｄである場合）には、パネル全面における位置（Ｘ、Ｙ）の算出（第４の算出２６６）において、ｘ座標は、第２の算出２６２における数式（３）により算出され、また、ｙ座標は、第３の算出２６４における数式（４）により算出される。
【００４７】
以上説明したように、検出したタッチ位置のパネル全面における位置を算出することができる。
【００４８】
本実施の形態にて説明したように、本発明の一態様により、検出領域とコントローラの間の配線遅延を低減することができる。このような構成としない場合には、例えば、配線を厚く形成するなどの手段が考えられるが、配線を厚く形成するとコストが増大する。また、センサ部の配線を厚く形成すると透光性が低下してしまう。本発明の一態様を用いることにより、コストの増大及び透光性の低下などを生じることなく、誤動作のない大型タッチパネルを提供することができる。
【００４９】
次に、本発明の一態様であるタッチパネルの表示部に相当する表示装置の一例として、液晶表示装置について図７を参照して説明する。図７（Ａ）は、第１の基板３０２上に形成された薄膜トランジスタ３２０と液晶素子３２６を、第２の基板３１２との間に設けられたシール材３１０によって封止した液晶表示装置の上面図を示す。図７（Ｂ）は、図７（Ａ）のＫ−Ｌにおける断面図を示す。
【００５０】
図７では、第１の基板３０２上に設けられた画素部３０４と、走査線駆動回路３０８と、を囲んで、シール材３１０が設けられている。また、画素部３０４及び走査線駆動回路３０８の上に第２の基板３１２が設けられている。よって、画素部３０４及び走査線駆動回路３０８は、第１の基板３０２とシール材３１０と第２の基板３１２とによって、液晶層３１６と共に封止されている。また、第１の基板３０２上のシール材３１０によって囲まれている領域とは異なる領域に信号線駆動回路３０６が実装されている。なお、信号線駆動回路３０６は、別途用意された基板上に薄膜トランジスタにより設けられたものであるが、これに限定されない。なお、本実施の形態では、薄膜トランジスタを用いた信号線駆動回路３０６を、第１の基板３０２に貼り合わせる場合について説明するが、単結晶半導体などの結晶性半導体層を用いた薄膜トランジスタで信号線駆動回路を形成し、第１の基板３０２に貼り合わせることが好ましい。図７（Ｂ）では、信号線駆動回路３０６に含まれる、結晶性半導体層で形成された薄膜トランジスタ３１８を例示する。
【００５１】
第１の基板３０２上に設けられた画素部３０４は、複数の薄膜トランジスタを有しており、図７（Ｂ）には、画素部３０４に含まれる薄膜トランジスタ３２０を例示している。また、信号線駆動回路３０６も複数の薄膜トランジスタを有しており、図７（Ｂ）では、信号線駆動回路３０６に含まれる薄膜トランジスタ３１８を例示している。
【００５２】
また、液晶素子３２６が有する画素電極３２４は、薄膜トランジスタ３２０と配線３３６を介して電気的に接続されている。そして、液晶素子３２６の対向電極３３４は第２の基板３１２上に設けられている。画素電極３２４と対向電極３３４と液晶層３１６が重なっている部分が、液晶素子３２６である。
【００５３】
なお、第１の基板３０２及び第２の基板３１２の材料としては、ガラス、またはプラスチックなどを用いることができる。プラスチックとしては、ＦＲＰ（Ｆｉｂｅｒ  Ｒｅｉｎｆｏｒｃｅｄ  Ｐｌａｓｔｉｃｓ）板、ポリエステルフィルムまたはアクリル樹脂フィルムなどを用いることができる。
【００５４】
また、スペーサ３２２はビーズスペーサであり、画素電極３２４と対向電極３３４との間の距離（セルギャップ）を制御するために設けられている。なお、絶縁層を選択的にエッチングすることで得られるスペーサ（ポストスペーサ）を用いていてもよい。
【００５５】
また、別途形成された信号線駆動回路３０６と、走査線駆動回路３０８及び画素部３０４に与えられる各種の信号（電位）は、ＦＰＣ３１４（Ｆｌｅｘｉｂｌｅ  Ｐｒｉｎｔｅｄ  Ｃｉｒｃｕｉｔ）から引き回し配線３２８及び引き回し配線３３０を介して供給される。
【００５６】
図７では、接続端子３３２が、液晶素子３２６が有する画素電極３２４と同じ導電層によって形成されている。また、引き回し配線３２８及び引き回し配線３３０は、配線３３６と同じ導電層で形成されている。ただし、これに限定されない。
【００５７】
接続端子３３２とＦＰＣ３１４が有する端子は、異方性導電層３３８を介して電気的に接続されている。
【００５８】
なお、図示していないが、本実施の形態に示した液晶表示装置は、配向膜及び偏光板を有し、更にカラーフィルタや遮光層などを有していてもよい。
【００５９】
なお、液晶表示装置に含まれるトランジスタの構成は図示した形態に限定されるものではなく、如何なる構造のものを用いてもよい。
【００６０】
なお、液晶表示装置に代えて、表示部にＥＬ表示装置を用いてもよい。その場合、第１の基板３０２及び第２の基板３１２のいずれか一方に、金属（代表的にはステンレス）、セラミックス、アルミニウム箔をポリエステルフィルムなどで挟んだ構造のシートなどを用いてもよい。
【００６１】
本発明の一態様であるタッチパネルの表示部は、以上の構成である。
【００６２】
なお、上記構成を有するタッチパネルモジュールも本発明の一態様である。なお、ここで、モジュールとは最終製品に実装されうる部品をいう。従って、タッチパネルモジュールは、タッチパネルに実装されうる部品であり、タッチパネルにのみ利用される部品に限定されるものではなく、タッチパネルの部品として用いられる可能性のある部品であれば、本発明の一態様の技術的範囲に含まれるものである。
【符号の説明】
【００６３】
１００    タッチパネル
１０２    検出領域
１０２Ａ    第１の検出領域
１０２Ｂ    第２の検出領域
１０２Ｃ    第３の検出領域
１０２Ｄ    第４の検出領域
１０４    コントローラ接続部
１０４Ａ    第１のコントローラ接続部
１０４Ｂ    第２のコントローラ接続部
１０４Ｃ    第３のコントローラ接続部
１０４Ｄ    第４のコントローラ接続部
１０６    コントローラ
１０６Ａ    第１のコントローラ
１０６Ｂ    第２のコントローラ
１０６Ｃ    第３のコントローラ
１０６Ｄ    第４のコントローラ
１０８    中央制御装置接続部
１０８Ａ    第１の中央制御装置接続部
１０８Ｂ    第２の中央制御装置接続部
１０８Ｃ    第３の中央制御装置接続部
１０８Ｄ    第４の中央制御装置接続部
１１０    中央制御装置
１１２    検出画素
１１４    信号線
１１６    共通電位線
１２０    筐体
１２２    表示部
１２４    素子基板
１２６    対向基板または封止基板
１２８    センサ部
１３０    操作面
１３２    検出回路
１３４    増幅回路
１３６    ノイズフィルタ
１３８    Ａ／Ｄコンバータ
１４０    演算回路
１４２    信号生成回路
２００    開始
２０２    ループ動作の開始
２０４    第１のコマンドの送信
２０６    ループ終了条件
２０８    初期設定
２１０    処理の移行
２５０    開始
２５２    第２のコマンドの送信
２５４    第１の判定
２５６    データの取得
２５８    コントローラの識別データ判定
２６０    第１の算出
２６２    第２の算出
２６４    第３の算出
２６６    第４の算出
２６８    処理の移行
３０２    基板
３０４    画素部
３０６    信号線駆動回路
３０８    走査線駆動回路
３１０    シール材
３１２    基板
３１４    ＦＰＣ
３１６    液晶層
３１８    薄膜トランジスタ
３２０    薄膜トランジスタ
３２２    スペーサ
３２４    画素電極
３２６    液晶素子
３２８    配線
３３０    配線
３３２    接続端子
３３４    対向電極
３３６    配線
３３８    異方性導電層
【図１】
2013229010.tif 000007
【図２】
2013229010.tif 000008
【図３】
2013229010.tif 000009
【図４】
2013229010.tif 000010
【図５】
2013229010.tif 000011
【図６】
2013229010.tif 000012
【図７】
2013229010.tif 000013